(57)【要約】【課題】スペーサーをテンプレートの穴部へ容易に嵌入させたり取り外したりすることができ、また治療中に穴部に嵌入したスペーサーが抜け落ちることを防止できるインプラント用ドリルガイド具を提供する。【解決手段】インプラント用ドリルガイド具を、係止部を有するガイド部材用案内部1aと突設された棒状部の先端に大径の球形部が設けられた差込み部とが設けられているガイド部材保持具１と、スペーサー部2caを有し摺動挿入部2aがガイド部材用案内部1aに摺動挿入されてストッパー部2bがガイド部材保持具１の摺動挿入される側の端面に当接した際に前記係止部に係止されるばね係止部2dが設けられているガイド部材２と、溝条開口部3aに続く後端側に開口部3bが連通した状態に形成されている中空の棒状の把持棒３と、把持棒３の後端から挿入され先端を差込み部の球形部に当接させてガイド部材保持具１を位置固定する棒状体４とから構成させる。【選択図】図１
2010115261.tif 000002
【特許請求の範囲】
【請求項１】
少なくとも欠如歯部を含む顎堤に沿って装着されるテンプレート(Ｔ)の欠如歯部に対応する部分に形成されていて顎骨に埋入させるインプラントフィクチャーの最大外径と略同径で筒状を成す穴部(Ta)に、顎骨にインプラントフィクスチャー埋入用穴を穿設するためのドリルをガイドするガイド穴を有する中空円筒状のスペーサー部(2ca)を嵌入した状態を保持するためのインプラント用ドリルガイド具であって、
長手方向の端面又は案内面(1aa)の長手方向の端部近傍に係止部(1b)を有するガイド部材用案内部(1a)と、該ガイド部材用案内部(1a)の外面に突設された棒状部(1ca)の先端に該棒状部(1ca)の径より大径の球形部(1cb)が設けられた差込み部(1c)とが設けられているガイド部材保持具(１)と、
長手方向の一方の側が該ガイド部材保持具(１)のガイド部材用案内部(1a)の案内面(1aa)に沿って摺動挿入されて保持される摺動挿入部(2a)をなし、また他方の側が該摺動挿入部(2a)に隣接し該ガイド部材保持具(１)のガイド部材用案内部(1a)の摺動挿入される側の端面に当接するストッパー部(2b)と、該摺動挿入部(2a)と反対の端部に穿設された穴に対応した位置に貫通したガイド穴を有し該摺動挿入部(2a)が該ガイド部材用案内部(1a)に摺動挿入された際に該ガイド部材保持具(１)の差込み部(1c)と反対側に位置するように突設されているスペーサー部(2ca)が設けられているドリルガイド部(2c)とをなし、該摺動挿入部(2a)が該ガイド部材用案内部(1a)に摺動挿入されて該ストッパー部(2b)が該ガイド部材保持具(１)の長手方向の端面に当接した際に該ガイド部材保持具(１)の係止部(1b)にばね作用で係止されるばね係止部(2d)が設けられているガイド部材(２)と、
先端が閉塞された中空の棒状でその先端側に該ガイド部材保持具(１)の差込み部(1c)の棒状部(1ca)が移動可能で球形部(1cb)の径より小さな幅の溝条開口部(3a)と該溝条開口部(3a)に続く後端側に該ガイド部材保持具(１)の差込み部(1c)の球形部(1cb)が挿入可能な開口部(3b)とが中空部に連通した状態に形成されており、後端に把持棒ねじ部(3c)が形成されている把持棒(３)と、
該把持棒(３)の後端から挿入され該把持棒(３)の把持棒ねじ部(3c)に棒状体ねじ部(4a)が螺合されていくと、該把持棒(３)の開口部(3b)から挿入された該ガイド部材保持具(１)の差込み部(1c)の球形部(1cb)に当接する先端により該球形部(1cb)を中空部先端に移動して位置固定する棒状体(４)とから成ることを特徴とするインプラント用ドリルガイド具。
【請求項２】
ガイド部材保持具(１)の係止部(1b)がガイド部材用案内部(1a)の案内面(1aa)の少なくとも一方の長手方向端部近傍に形成された凹状部である請求項１に記載のインプラント用ドリルガイド具。
【請求項３】
ガイド部材保持具(１)のガイド部材用案内部(1a)が略リップ溝形状を成している請求項１又は２に記載のインプラント用ドリルガイド具。
【請求項４】
ガイド部材保持具(１)のガイド部材用案内部(1a)が筒状を成している請求項１又は２に記載のインプラント用ドリルガイド具。
【発明の詳細な説明】
【技術分野】
【０００１】
本発明は、歯科インプラント治療において径の異なるドリルを顎骨のインプラントフィクスチャー埋設予定場所に正しく誘導するために用いるインプラント用ドリルガイド具に関するものである。
【背景技術】
【０００２】
歯科インプラント治療では欠如歯部の顎骨にインプラントフィクスチャー埋入用孔を正確な位置に適切な深さで穿設することが最も重要である。顎骨にインプラントフィクスチャー埋入用孔を正確に穿設する方法としては、先ず患者の顎骨の断層写真を取り込みコンピュータ上に顎堤部の模型を作成し、事前にフィクスチャーの埋入方向を決めてインプラントフィクスチャーを含む補綴装置の完成状態を正確にシミュレートしたデータに基づきフィクスチャーの埋入方向が規定された穴部を有するテンプレートを作製し、そして穿設されるインプラントフィクスチャー埋入用孔の深さを規制するためのフランジがその軸部と一体に形成されているフランジ付歯科用ドリルを用いた歯科インプラントを配設する方法がある(例えば、特許文献１，２参照。)。
【０００３】
このようなテンプレート及びフランジ付歯科用ドリルを用いた方法は、インプラントフィクスチャー埋入用孔の位置や方向がテンプレートで規定されるため、インプラントフィクスチャー埋入用孔の位置がずれたり、インプラントフィクスチャー埋入用孔の深さが所望の深さでなかったりする事態を防止することができる。
【０００４】
またこのような方法では顎骨に直接インプラントフィクスチャーの最大径と略同径の穴を穿設するのではなく、細径のドリルから徐々に大きな径のドリルへと換えてフィクスチャー埋入孔を形成させるのであるが、テンプレートにはインプラントフィクスチャーの最大径と略同径の穴部が設けられているので、細径のドリルを使用する際にはドリルをガイドするガイド穴が中心に設けられていて外径がテンプレートの穴部の内径と一致する筒状のスペーサーをテンプレートの穴部に嵌めて細径のドリルを顎骨の埋設予定場所に導いているのである。
【０００５】
しかしながら、このような方法では、フィクスチャー埋入孔を形成させるには、細径のドリルから徐々に大きな径のドリルへと換えていく必要があるため、これに合わせてテンプレートに嵌入させるスペーサーを何度も交換する必要があり、更にインプラントフィクスチャーを埋入する際にもテンプレートに嵌入されているスペーサーを取り外す必要があるが、口腔内にテンプレートを装着したままでこのような作業を行うことは非常に煩雑で難しい。
【０００６】
またテンプレートに形成された穴部は、スムーズにインプラントフィクスチャーが挿入できるように、穴部の内面には余分な突起物等はない。そのためテンプレートの穴部にスペーサーを嵌入させる際、スペーサーをテンプレートの穴部に係止させたり固定させたりすることは難しいので、上顎の場合にはテンプレートからスペーサーが落ちたり、また治療中、患者が横たわった状態であるので上顎だけでなく下顎に装着したスペーサーもテンプレートから容易に外れ易いという問題がある。
【０００７】
【特許文献１】特表２００５-５１８８３４号公報
【特許文献２】特表２００７-５１１２７５号公報
【発明の開示】
【発明が解決しようとする課題】
【０００８】
本発明は前記の問題に鑑み、スペーサーをテンプレートの穴部へ容易に嵌入させたり取り外したりすることができ、スペーサーを繰り返し交換する場合であっても煩雑にならず、また治療中にテンプレートの穴部に嵌入したスペーサーが抜け落ちることを防止することができ、更に使い勝手が良く治療のし易いインプラント用ドリルガイド具を提供することを課題とする。
【課題を解決するための手段】
【０００９】
本発明者らは前記課題を解決すべく鋭意検討した結果、単体のスペーサーではテンプレートの穴部に嵌入させたり外したりすることは難しいため、スペーサー部（スペーサー）を把持棒の先端に装着したインプラント用ドリルガイド具を用いれば、把持棒を手で把持した状態で先端のスペーサー部をテンプレートの穴部に容易に嵌入させたり外したりすることができ、また把持した把持棒を介してスペーサー部をテンプレートの穴部に押さえ付けておけばテンプレートの穴部からスペーサーが抜け落ちるようなことがなく、更に把持棒の先端に端部にこのスペーサー部が突設されているガイド部材を摺動挿入できるガイド部材保持具を装着すれば、ガイド部材をガイド部材保持具に摺動挿入させて保持させるだけで容易にスペーサーを交換することができ、また把持棒のような棒状のものから成るインプラント用ドリルガイド具の先端を狭い口腔内に挿入してインプラントフィクスチャー埋入用孔を穿設しようとすると、治療箇所によっては先端のスペーサー部をテンプレートの穴部に確実に嵌入させることが難しいという問題があるが、ガイド部材が摺動挿入されて保持されるガイド部材保持具の方向を自在に変更して固定できるように、ガイド部材が摺動挿入されるガイド部材用案内部の外面に棒状部と球形部とから成る差込み部を設けると共にこの差込み部が挿入される開口部を把持棒の先端側に設け、把持棒の後端から棒状体を挿入してその先端が把持棒の開口部から挿入されたガイド部材保持具の差込み部の球形部に当接して位置固定するようにすれば、ガイド部材保持具は略球形をなす球形部に棒状体の先端を当接させた状態で位置固定されるため、ガイド部材保持具の方向を変えても球形部と棒状体の先端との当接状態は変わらないので、ガイド部材保持具の方向を自在に調整して位置固定することができ、ガイド部材のスペーサー部をテンプレートの穴部に確実且つ容易に嵌入させることができることを究明して本発明を完成させたのである。
【００１０】
即ち、本発明は少なくとも欠如歯部を含む顎堤に沿って装着されるテンプレートの欠如歯部に対応する部分に形成されていて顎骨に埋入させるインプラントフィクチャーの最大外径と略同径で筒状を成す穴部に、顎骨にインプラントフィクスチャー埋入用穴を穿設するためのドリルをガイドするガイド穴を有する中空円筒状のスペーサー部を嵌入した状態を保持するためのインプラント用ドリルガイド具であって、
長手方向の端面又は案内面の長手方向の端部近傍に係止部を有するガイド部材用案内部と、ガイド部材用案内部の外面に突設された棒状部の先端に棒状部の径より大径の球形部が設けられた差込み部とが設けられているガイド部材保持具と、
長手方向の一方の側がガイド部材保持具のガイド部材用案内部の案内面に沿って摺動挿入されて保持される摺動挿入部をなし、また他方の側が摺動挿入部に隣接しガイド部材保持具のガイド部材用案内部の摺動挿入される側の端面に当接するストッパー部と、摺動挿入部と反対の端部に穿設された穴に対応した位置に貫通したガイド穴を有し摺動挿入部がガイド部材用案内部に摺動挿入された際にガイド部材保持具の差込み部と反対側に位置するように突設されているスペーサー部が設けられているドリルガイド部とをなし、摺動挿入部がガイド部材用案内部に摺動挿入されてストッパー部がガイド部材保持具の長手方向の端面に当接した際にガイド部材保持具の係止部にばね作用で係止されるばね係止部が設けられているガイド部材と、
先端が閉塞された中空の棒状でその先端側にガイド部材保持具の差込み部の棒状部が移動可能で球形部の径より小さな幅の溝条開口部と溝条開口部に続く後端側にガイド部材保持具の差込み部の球形部が挿入可能な開口部とが中空部に連通した状態に形成されており、後端に把持棒ねじ部が形成されている把持棒と、
把持棒の後端から挿入され把持棒の把持棒ねじ部に棒状体ねじ部が螺合されていくと、把持棒の開口部から挿入されたガイド部材保持具の差込み部の球形部に当接する先端により球形部を中空部先端に移動して位置固定する棒状体とから成ることを特徴とするインプラント用ドリルガイド具である。
【００１１】
またガイド部材保持具の係止部をガイド部材用案内部の案内面の少なくとも一方の長手方向端部近傍に形成された凹状部とすれば、凹状部の深さによってガイド部材保持具とガイド部材とが係止する強さを変更できて好ましく、更にガイド部材保持具のガイド部材用案内部を略リップ溝形状や筒状にすれば、ガイド部材を確実に摺動挿入できて好ましいのである。
【発明の効果】
【００１２】
本発明に係るインプラント用ドリルガイド具は、少なくとも欠如歯部を含む顎堤に沿って装着されるテンプレートの欠如歯部に対応する部分に形成されていて顎骨に埋入させるインプラントフィクチャーの最大外径と略同径で筒状を成す穴部に、顎骨にインプラントフィクスチャー埋入用穴を穿設するためのドリルをガイドするガイド穴を有する中空円筒状のスペーサー部を嵌入した状態を保持するためのインプラント用ドリルガイド具であって、長手方向の端面又は案内面の長手方向の端部近傍に係止部を有するガイド部材用案内部と、ガイド部材用案内部の外面に突設された棒状部の先端に棒状部の径より大径の球形部が設けられた差込み部とが設けられているガイド部材保持具と、長手方向の一方の側がガイド部材保持具のガイド部材用案内部の案内面に沿って摺動挿入されて保持される摺動挿入部をなし、また他方の側が摺動挿入部に隣接しガイド部材保持具のガイド部材用案内部の摺動挿入される側の端面に当接するストッパー部と、摺動挿入部と反対の端部に穿設された穴に対応した位置に貫通したガイド穴を有し摺動挿入部がガイド部材用案内部に摺動挿入された際にガイド部材保持具の差込み部と反対側に位置するように突設されているスペーサー部が設けられているドリルガイド部とをなし、摺動挿入部がガイド部材用案内部に摺動挿入されてストッパー部がガイド部材保持具の長手方向の端面に当接した際にガイド部材保持具の係止部にばね作用で係止されるばね係止部が設けられているガイド部材と、先端が閉塞された中空の棒状でその先端側にガイド部材保持具の差込み部の棒状部が移動可能で球形部の径より小さな幅の溝条開口部と溝条開口部に続く後端側にガイド部材保持具の差込み部の球形部が挿入可能な開口部とが中空部に連通した状態に形成されており後端に把持棒ねじ部が形成されている把持棒と、把持棒の後端から挿入され把持棒の把持棒ねじ部に棒状体ねじ部が螺合されていくと、把持棒の開口部から挿入されたガイド部材保持具の差込み部の球形部に当接する先端により球形部を中空部先端に移動して位置固定する棒状体とから構成されているから、使用時には把持棒の先端にスペーサー部が装着されているので、把持棒を手で把持した状態で先端のスペーサー部をテンプレートの穴部に容易に嵌入させたり外したりすることができ、また把持した把持棒を介してスペーサー部をテンプレートの穴部に押さえ付けておけばテンプレートの穴部からスペーサーが抜け落ちるようなことがなく、更に把持棒の先端に端部にこのスペーサー部が突設されているガイド部材を摺動挿入できるガイド部材保持具が装着されているから、ガイド部材をガイド部材保持具に摺動挿入させて保持させるだけで容易にスペーサーを交換することができ、またガイド部材が摺動挿入されるガイド部材用案内部の外面に設けられている棒状部と球形部とから成る差込み部が挿入される開口部が把持棒の先端側に設けられていて、把持棒の後端から挿入される棒状体の先端が把持棒の開口部から挿入されたガイド部材保持具の差込み部の球形部に当接した状態でガイド部材保持具は位置固定されるため、ガイド部材保持具の方向を変えても球形部と棒状体の先端との当接状態は変わらないので、ガイド部材保持具の方向を自在に調整して位置固定することができ、ガイド部材のスペーサー部をテンプレートの穴部に確実且つ容易に嵌入させることができるのである。
【００１３】
またガイド部材保持具の係止部がガイド部材用案内部の案内面の少なくとも一方の長手方向端部近傍に形成された凹状部である態様では、凹状部の深さによってガイド部材保持具とガイド部材とが係止する強さを変更できて好ましく、更にガイド部材保持具のガイド部材用案内部が略リップ溝形状や筒状である態様の場合には、ガイド部材を確実に摺動挿入できて好ましいのである。
【発明を実施するための最良の形態】
【００１４】
以下、図面を用いて本発明に係るインプラント用ドリルガイド具について詳細に説明する。
図１は本発明に係るインプラント用ドリルガイド具の一実施例を示す正面図、図２は図１のインプラント用ドリルガイド具からガイド部材を取り外した状態を示す正面図、図３は図２の状態のインプラント用ドリルガイド具のガイド部材保持具を紙面に対して反時計回りに回転させた状態を示す正面図、図４は図２の状態のインプラント用ドリルガイド具のガイド部材保持具を３次元的に回転させた状態を示す正面図、図５は図１のインプラント用ドリルガイド具に装着されているガイド部材保持具の斜視図、図６は図１のインプラント用ドリルガイド具に装着されている把持棒の正面図、図７は図１のインプラント用ドリルガイド具に装着されている棒状体の正面図、図８は図１のインプラント用ドリルガイド具に装着されているガイド部材の正面図、図９は図８のガイド部材の平面図、図１０は本発明に係るインプラント用ドリルガイド具の他の実施例を示す正面図、図１１は図１０のインプラント用ドリルガイド具に装着されているガイド部材の正面図、図１２は図１０のインプラント用ドリルガイド具に装着されているガイド部材保持具の斜視図、図１３はテンプレートが口腔内に装着された状態を示す説明図である。
【００１５】
図面中、Ｔは少なくとも欠如歯部を含む顎堤に沿って装着されるテンプレートであり、このテンプレートＴには欠如歯部に対応する部分に形成されていて顎骨に埋入させるインプラントフィクチャーの最大外径と略同径で筒状を成す穴部Taが穿設されており、本発明に係るインプラント用ドリルガイド具は、顎骨にインプラントフィクスチャー埋入用穴を穿設するためのドリルをガイドするガイド穴を有する中空円筒状のスペーサー部2caを、このテンプレートＴの穴部Taに嵌入した状態で保持するために使用される。
【００１６】
１は長手方向の端面又は案内面1aaの長手方向の端部近傍に係止部1bを有するガイド部材用案内部1aと、このガイド部材用案内部1aの外面に突設された棒状部1caの先端にこの棒状部1caの径より大径の球形部1cbが設けられた差込み部1cとが設けられているガイド部材保持具１である。このガイド部材保持具１のガイド部材用案内部1aは後述するガイド部材２を確実に摺動挿入できるように、例えば図１〜４の如く略リップ溝形状や図１０の如く筒状であることが好ましい。
【００１７】
２は長手方向の一方の側がガイド部材保持具１のガイド部材用案内部1aの案内面1aaに沿って摺動挿入されて保持される摺動挿入部2aをなし、また他方の側が摺動挿入部2aに隣接しガイド部材保持具１の長手方向の端面に当接するストッパー部2bと、摺動挿入部2aと反対の端部に穿設された穴に対応した位置に貫通したガイド穴を有し摺動挿入部2aがガイド部材用案内部1aに摺動挿入された際にガイド部材保持具１の差込み部1cと反対側に位置するように突設されているスペーサー部2caが設けられているドリルガイド部2cとをなし、摺動挿入部2aがガイド部材用案内部1aに摺動挿入されてストッパー部2bがガイド部材保持具１の長手方向の端面に当接した際にガイド部材保持具１の係止部1bにばね作用で係止されるばね係止部2dが設けられているガイド部材である。このガイド部材２には摺動挿入部2aがガイド部材保持具１のガイド部材用案内部1aに摺動挿入された際に所定位置で止まるようにストッパー部2bが設けられていると共に、摺動挿入部2aをガイド部材保持具１に係止させるためにばね係止部2dが設けられている。このようにガイド部材２はガイド部材保持具１にばね係止部2dで係止されているだけであるので、ガイド部材２をガイド部材保持具１から外す場合も容易に外すことができ、ガイド部材２の交換も容易にできるのである。またガイド部材保持具１の係止部1bがガイド部材用案内部1aの案内面1aaの少なくとも一方の長手方向端部近傍に形成された凹状部であれば、凹状部の深さによって、ガイド部材保持具１とガイド部材２とが係止する強さを変更できて好ましい。なおガイド部材２の摺動挿入部2aは、図９の如く平板状のものや図示していないが半円柱状のものなど非円柱状であれば様々なものが使用できる。
【００１８】
３は先端が閉塞された中空の棒状でその先端側にガイド部材保持具１の差込み部1cの棒状部1caが移動可能で球形部1cbの径より小さな幅の溝条開口部3aとこの溝条開口部3aに続く後端側にガイド部材保持具１の差込み部1cの球形部1cbが挿入可能な開口部3bとが中空部に連通した状態に形成されており、後端に把持棒ねじ部3cが形成されている把持棒である。この把持棒３の先端側に形成されている溝条開口部3aは図６の如く把持棒３の先端近傍まで形成されていると、図４のようにガイド部材保持具１を三次元的に回転させた状態にすることができるので好ましい。なお、把持棒３の後端側は図６の如く握る部分が太く、口腔内に挿入される先端側が細いものが好ましく利用できる。
【００１９】
４は把持棒３の後端から挿入され把持棒３の把持棒ねじ部3cに棒状体ねじ部4aが螺合されていくと、把持棒３の開口部3bから挿入されたガイド部材保持具１の差込み部1cの球形部1cbに当接する先端により球形部1cbを中空部先端に移動して位置固定する棒状体である。図７の如く棒状体４の棒状体ねじ部4aが雄ねじである場合には、図示していないが前記把持棒３の把持棒ねじ部3cはそれに螺合される雌ねじとなっている。
【００２０】
本発明に係るインプラント用ドリルガイド具を実際に使用するには、先ず把持棒３の開口部3bにガイド部材保持具１の差込み部1cの球形部1cbを挿入し、また棒状体４を把持棒３の後端から挿入して棒状体４の先端をガイド部材保持具１の球形部1cbに当接させて球形部1cbを中空部先端へと移動してガイド部材保持具１が把持棒３に位置固定されるまで棒状体４の棒状体ねじ部4aを把持棒３の把持棒ねじ部3cに螺合させればよい。
【００２１】
その際、棒状体４の先端はガイド部材保持具１の球形部1cbに当接されるが、ガイド部材保持具１の球形部1cbは略球形をなしているので、ガイド部材保持具１を様々な方向に向けても棒状体４の先端とガイド部材保持具１の球形部1cbとの当接状態は常に一定に保たれるので、ガイド部材保持具１の方向に関係なくしっかりと固定することができる。例えば、ガイド部材保持具１は図２の状態や、図３のように図２の状態から反時計回りに回転させた状態や、図４のようにガイド部材保持具１の差込み部1cの棒状部1caの中心線が把持棒３の中心線に対して直角を成さない状態にして三次元的に回転させた状態など、治療箇所に合わせて適宜調整した状態で、ガイド部材保持具１が把持棒３に位置固定されるように棒状体４の棒状体ねじ部4aが螺合させれば、ガイド部材保持具１を様々な方向に向けて位置固定できるのである。
【００２２】
なお、棒状体４と把持棒３とはそれぞれのねじ部を螺合させるが、これはねじであると棒状体４を僅かに回転させて螺合状態を強めたり弱めたりするなどの微調節がし易いからである。また図７では棒状体４の棒状体ねじ部4aは雄ねじで、把持棒３の把持棒ねじ部3cは図示していないがそれに螺合される雌ねじとなっているが、雄ねじと雌ねじとがそれぞれ逆であってもよい。
【００２３】
次に、ガイド部材保持具１にガイド部材２を装着するには、例えば図２の如き状態のガイド部材保持具１のガイド部材用案内部1aにばね係止部2d側からガイド部材２の摺動挿入部2aを挿入し、図２のガイド部材保持具１の紙面で見て右側の端面にガイド部材２のストッパー部2bが当接するまで差し込み、ガイド部材２のばね係止部2dをガイド部材保持具１の左側の係止部1b（凹状部）に係止させれば、図１のような状態にガイド部材２が装着されるのである。このようにガイド部材２をガイド部材保持具１に装着することでスペーサー部2caは図１では右側に位置するが、治療箇所に応じてスペーサー部2caを左側に位置させたい場合には、図２〜４の如く係止部1b（凹状部）が左右にそれぞれ設けられている態様を用いることによって、ガイド部材２のばね係止部2d側を図２のガイド部材保持具１の紙面で見て左側の端部から摺動挿入して、ガイド部材保持具１の左側の端面にガイド部材２のストッパー部2bを当接させ、ガイド部材２のばね係止部2dをガイド部材保持具１の右側の係止用凹部1bに係止させれば、スペーサー部2caを左側に位置させることもできるのである。なおスペーサー部2caを所望の側に位置させたい場合には、先にガイド部材２をガイド部材保持具１に摺動挿入して保持させた後に、ガイド部材保持具１を把持棒３に対して回転させてから把持棒３に固定をしてもよい。
【００２４】
また本発明に係るインプラント用ドリルガイド具の別の態様としては、図１０の如き態様がある。この態様ではガイド部材保持具１のガイド部材用案内部1aは筒状を成していて、ガイド部材２のばね係止部2dを係止させるガイド部材保持具１の係止部1bは、前記態様のような凹状部ではなく、ガイド部材用案内部1aの長手方向の端面となっている。またこの態様では図１１の如く、ガイド部材２のストッパー部2bは摺動挿入部2aの幅より広くなるように形成されていて、このガイド部材２の摺動挿入部2aをガイド部材保持具１のガイド部材用案内部1aに摺動挿入すると、図１０のガイド部材保持具１の紙面で見て右側の端面にガイド部材２のストッパー部2bが当接し、ガイド部材２のばね係止部2dがガイド部材保持具１の左側の端面に係止されて、図１０のような状態にガイド部材２が装着されるのである。またこの態様ではガイド部材用案内部1aが筒状を成しているので、左右どちらからでもガイド部材２の摺動挿入部2aを摺動挿入できるので、把持棒３にガイド部材保持具１を固定した後でもガイド部材２のスペーサー部2caを紙面で見て左側又は右側のどちらにも位置させることができるのである。
【００２５】
更にこの態様では、ガイド部材保持具１の差込み部1cが図１２の如くガイド部材保持具１の長手方向の中央ではなく一方の端部側に形成されている。これにより、ガイド部材保持具１に装着されるガイド部材２のスペーサー部2caは把持棒３に近い位置や、図１０の如く把持棒３からより遠い位置に固定することもでき、スペーサー部2caの方向だけでなく治療箇所に応じて把持棒３からの距離も変更することが可能となっている。
【００２６】
各態様のように本発明に係るインプラント用ドリルガイド具では、ガイド部材２の摺動挿入部2aを摺動挿入させる方向を変えたり、ガイド部材保持具１の差込み部1cの位置を偏った位置にすることにより、ガイド部材２のスペーサー部2caの位置を変更することができ、またガイド部材２が摺動挿入されるガイド部材保持具１の方向を変えて位置固定することができるので、ガイド部材２のスペーサー部2caの方向を容易に変更することができ、口腔内の治療箇所に合わせて様々に調節が可能で非常に使い勝手が良いのである。
【００２７】
また本発明に係るインプラント用ドリルガイド具を用いて実際にインプラント治療をするには、上述のように螺合されて一体となった把持棒３及び棒状体４に位置固定されたガイド部材保持具１にガイド部材２が摺動挿入された状態で把持棒３、又は把持棒３及び棒状体４を手で持ち、例えば図１３の如く欠如歯部を含む顎堤に沿って装着されたテンプレートＴの穴部Taにガイド部材２のスペーサー部2caを挿入し、ハンドピース等に装着されたドリルをスペーサー部2caのガイド穴に挿入して顎骨の穿設をすればよいのである。その際、スペーサー部2caは把持棒３等と一体となっていて手でしっかりと押さえ付けられているので、テンプレートＴの穴部Taから抜け落ちることがないのである。
【００２８】
また穿設後にテンプレートＴの穴部Taからスペーサー部2caを取り外す際にも、従来の単体のスペーサーでは取り外しの際に口腔内に落とすなどの問題が生じ易かったが、本発明に係るインプラント用ドリルガイド具ではスペーサー部2caが把持棒３等と一体となっているのでこのような問題が起こることもないのである。
【００２９】
更に径の異なるドリルを順次取り替えて使用する場合、治療箇所は同じであるから、予め把持棒３に位置固定したガイド部材保持具１の位置や方向は変更する必要はなく、ガイド部材保持具１に摺動挿入されるガイド部材２を交換するだけで順次大きさの異なるドリルを使用することができるのである。
【図面の簡単な説明】
【００３０】
【図１】本発明に係るインプラント用ドリルガイド具の一実施例を示す正面図である。
【図２】図１のインプラント用ドリルガイド具からガイド部材を取り外した状態を示す正面図である。
【図３】図２の状態のインプラント用ドリルガイド具のガイド部材保持具を紙面に対して反時計回りに回転させた状態を示す正面図である。
【図４】図２の状態のインプラント用ドリルガイド具のガイド部材保持具を３次元的に回転させた状態を示す正面図である。
【図５】図１のインプラント用ドリルガイド具に装着されていたガイド部材保持具の斜視図である。
【図６】図１のインプラント用ドリルガイド具に装着されていた把持棒の正面図である。
【図７】図１のインプラント用ドリルガイド具に装着されていた棒状体の正面図である。
【図８】図１のインプラント用ドリルガイド具に装着されていたガイド部材の正面図である。
【図９】図８のガイド部材の平面図である。
【図１０】本発明に係るインプラント用ドリルガイド具の他の実施例を示す正面図である。
【図１１】図１０のインプラント用ドリルガイド具に装着されていたガイド部材の正面図である。
【図１２】図１０のインプラント用ドリルガイド具に装着されていたガイド部材保持具の斜視図である。
【図１３】テンプレートが口腔内に装着された状態を示す説明図である。
【符号の説明】
【００３１】
１  ガイド部材保持具
1a  ガイド部材用案内部
1aa  案内面
1b  係止部
1c  差込み部
1ca  棒状部
1cb  球形部
２  ガイド部材
2a  摺動挿入部
2b  ストッパー部
2c  ドリルガイド部
2ca  スペーサー部
2d  ばね係止部
３  把持棒
3a  溝条開口部
3b  開口部
3c  把持棒ねじ部
４  棒状体
4a  棒状体ねじ部
Ｔ  テンプレート
Ta  穴部
【図１】
2010115261.tif 000003
【図２】
2010115261.tif 000004
【図３】
2010115261.tif 000005
【図４】
2010115261.tif 000006
【図５】
2010115261.tif 000007
【図６】
2010115261.tif 000008
【図７】
2010115261.tif 000009
【図８】
2010115261.tif 000010
【図９】
2010115261.tif 000011
【図１０】
2010115261.tif 000012
【図１１】
2010115261.tif 000013
【図１２】
2010115261.tif 000014
【図１３】
2010115261.tif 000015